(57)【要約】【課題】  ストロボ光の照射によって生じるあおりの影響を低減した画像を取得する。【解決手段】  本発光と、該本発光に先立って行われる予備発光とを行う発光手段と、本発光及び予備発光が行われたときの画像を取得する撮像手段と、予備発光時の画像から顔領域を検出する顔検出手段と、顔検出手段によって検出された顔領域の陰影情報を取得する情報取得手段と、情報取得手段によって求められた顔領域の陰影情報に基づいて、本発光時の発光量、又は本発光時に撮像される画像に対する補正量の少なくともいずれか一方のパラメータを決定するパラメータ決定手段と、を備えたことを特徴とする。【選択図】    図１
2009124309.tif 000002
【特許請求の範囲】
【請求項１】
本発光と、該本発光に先立って行われる予備発光とを行う発光手段と、
前記本発光及び前記予備発光が行われたときの画像を取得する撮像手段と、
前記予備発光時の画像から顔領域を検出する顔検出手段と、
前記顔検出手段によって検出された顔領域の陰影情報を取得する情報取得手段と、
前記情報取得手段によって求められた顔領域の陰影情報に基づいて、前記本発光時の発光量、又は本発光時に撮像される画像に対する補正量の少なくともいずれか一方のパラメータを決定するパラメータ決定手段と、
を備えたことを特徴とする撮像装置。
【請求項２】
請求項１記載の撮像装置において、
前記情報取得手段は、
前記検出された顔領域から複数の対象領域を抽出する領域抽出手段と、
前記複数の対象領域における輝度を求める輝度算出手段と、
からなり、
前記パラメータ決定手段は、前記輝度算出手段から求められた対象領域毎の輝度を前記顔領域の陰影情報とすることで、前記パラメータを決定することを特徴とする撮像装置。
【請求項３】
請求項１又は２に記載の撮像装置において、
前記顔検出手段は、前記顔領域の検出時に、前記画像における前記顔領域の位置情報を求めるとともに、
前記顔領域の位置情報から、該顔領域が特定の範囲にあるか否かを判定する判定手段を備えていることを特徴とする撮像装置。
【請求項４】
請求項１〜３のいずれか１項に記載の撮像装置において、
前記パラメータ決定手段によって決定されたパラメータが、前記本発光時に撮像される画像に対する補正量である場合に、前記本発光に伴って撮像された画像に対して、前記補正量を用いて画像処理を行う画像処理手段を備えていることを特徴とする撮像装置。
【請求項５】
請求項１〜４のいずれか１項に記載の撮像装置において、
被写体の輝度を検出する輝度検出手段を備え、
前記輝度検出手段によって検出された被写体の輝度に基づいて、前記予備発光の有無が決定されることを特徴とする撮像装置。
【発明の詳細な説明】
【技術分野】
【０００１】
本発明は、静止画像や動画像を撮像、記録する撮像装置に関する。
【背景技術】
【０００２】
カメラにおいて、夜間撮影や逆光撮影を行う場合、ストロボ光を発光させて撮像処理を実行することが一般的である。また、最近では、被写体が人物となる場合には、被写体となる人物の顔を検出して、顔が適正な明るさとなるように撮像時のストロボ光の発光量を調整するカメラも提供されている（特許文献１参照）。
【０００３】
一方、撮像された画像を処理する技術として、シェーディング除去を施した参照画像を予め用意しておき、撮像された画像に対して、参照画像と等しい分散となるように補正を行う技術（特許文献２参照）や、人物の顔などに照射する照明光の照射方向を変化させた場合に生じる陰影パターンから撮像された画像の陰影パターンに近いものを選び出し、選び出した陰影パターンを用いて、撮像された画像から陰影を除去する補正を行う技術（特許文献３参照）などが開示されている。
【特許文献１】特開２００５−１８４５０８号公報
【特許文献２】特許第３５７８３２１号公報
【特許文献３】特開２００２−１５３１１号公報
【発明の開示】
【発明が解決しようとする課題】
【０００４】
上述したカメラにおいては、例えば調光領域と画像内の顔領域とが異なる場合に被写体の顔付近において調光制御が行えるようになっている。しかしながら、被写体となる人物の顔に対して照明光がどの方向から照射されるかは考慮されていないため、例えば顔の下方から照明光が照射された場合に生じる、あおりの影響に対してどのように調光制御を行うかについては言及されていない。
【０００５】
また、特許文献２や特許文献３における画像を処理する技術は、画像から人物の顔を確実に認証させる目的で利用するには好適ではあるが、処理された画像は陰影のない非常に平坦な画像となるため、鑑賞を目的とした画像処理としては好ましくない。
【課題を解決するための手段】
【０００６】
本願発明は、上述した課題を解決するために発明されたものであり、ストロボ光の照射によって生じるあおりの影響を低減した画像を取得することができるようにした撮像装置を提供することを目的とする。
【０００７】
第１の発明は、本発光と、該本発光に先立って行われる予備発光とを行う発光手段と、前記本発光及び前記予備発光が行われたときの画像を取得する撮像手段と、前記予備発光時の画像から顔領域を検出する顔検出手段と、前記顔検出手段によって検出された顔領域の陰影情報を取得する情報取得手段と、前記情報取得手段によって求められた顔領域の陰影情報に基づいて、前記本発光時の発光量、又は本発光時に撮像される画像に対する補正量の少なくともいずれか一方のパラメータを決定するパラメータ決定手段と、を備えたことを特徴とする。
【０００８】
第２の発明は、第１の発明において、前記情報取得手段は、前記検出された顔領域から複数の対象領域を抽出する領域抽出手段と、前記複数の対象領域における輝度を求める輝度算出手段と、からなり、前記パラメータ決定手段は、前記輝度算出手段から求められた対象領域毎の輝度を前記顔領域の陰影情報とすることで、前記パラメータを決定することを特徴とする。
【０００９】
第３の発明は、第１及び第２の発明において、前記顔検出手段は、前記顔領域の検出時に、前記画像における前記顔領域の位置情報を求めるとともに、前記顔領域の位置情報から、該顔領域が特定の範囲にあるか否かを判定する判定手段を備えていることを特徴とする。
【００１０】
第４の発明は、第１〜第３の発明のいずれかにおいて、前記パラメータ決定手段によって決定されたパラメータが、前記本発光時に撮像される画像に対する補正量である場合に、前記本発光に伴って撮像された画像に対して、前記補正量を用いて画像処理を行う画像処理手段を備えていることを特徴とする。
【００１１】
第５の発明は、第１〜第４の発明のいずれかにおいて、被写体の輝度を検出する輝度検出手段を備え、前記輝度検出手段によって検出された被写体の輝度に基づいて、前記予備発光の有無が決定されることを特徴とする。
【発明の効果】
【００１２】
本発明によれば、顔領域の陰影情報に基づいて、本発光時の光量や、画像処理時の補正量が決定されるので、人物の顔に対する照明状態が適切な状態での撮像が可能となり、また、あおりの影響を抑えた被写体の画像を得ることができる。
【発明を実施するための最良の形態】
【００１３】
図１は、デジタルカメラの構成の一例を示す概略図である。デジタルカメラ１０は、撮像光学系１５によって取り込まれた被写体光をＣＣＤ１６によって受光し、受光した被写体光を光電変換することで画像データを取得する。
【００１４】
撮像光学系１５は、撮像レンズ２０の他に、ズームレンズ２１やフォーカスレンズ２２から構成されている。ズームレンズ２１は、撮像時の撮像倍率を変更する際に、レンズ駆動部２３によって光軸Ｃ方向に沿って移動される。フォーカスレンズ２２は、撮像時における焦点調節を行う際に、レンズ駆動部２３によって光軸Ｃ方向に微小移動される。
【００１５】
ＣＣＤ１６は、撮像光学系１５を介して入射される被写体光を受光し、受光した光量に応じた信号電荷を蓄積することで、被写体光を光電変換する。蓄積された信号電荷はアナログ画像信号としてＡ／Ｄ変換器２６に出力される。なお、ＣＣＤ１６における信号電荷の蓄積や蓄積された信号電荷の出力は、ＣＣＤ制御部２４によって制御される。
【００１６】
詳細は図示していないが、ＣＣＤ１６から出力されるアナログ画像信号は、ノイズ除去及び信号増幅された後、Ａ／Ｄ変換器２６に入力される。Ａ／Ｄ変換器２６は、入力されるアナログ画像信号をデジタル画像信号に変換する。変換されたデジタル画像信号は１コマ毎にまとめられ、デジタル画像データとしてフレームメモリ２８に格納される。符号３０はバスであり、このバス３０を介してデジタルカメラ１０の各部が電気的に接続される。
【００１７】
画像処理部３５は、フレームメモリ２８に記録されたデジタル画像データに対して、エッジ処理、ホワイトバランス補正処理、ゲインコントロール処理、階調補正処理などの画像処理を施す。この画像処理が施されたデジタル画像データは所定の圧縮率により圧縮処理される。なお、所定の圧縮率としては、ＬＣＤモニタ３６の解像度に合わせた圧縮率と、画像記録用に合わせた圧縮率とが挙げられる。
【００１８】
例えばデジタルカメラ１０に設けられたＬＣＤモニタ３６にスルー画像を表示する場合には、画像処理後のデジタル画像データに対して、ＬＣＤモニタ３６の解像度に合わせた圧縮率を用いて圧縮処理が実行され、表示制御部３７に出力される。
【００１９】
一方、デジタル画像データを記録する場合には、画像記録用に合わせた圧縮率を用いた圧縮処理が施され、内蔵メモリ３８に記録される。この内蔵メモリ３８に格納されたデジタル画像データは、メディアコントローラ３９を介して、メモリカードや光学ディスクなどの記録媒体４０に格納される。なお、画像記録用に合わせた圧縮率としては、予めデジタルカメラにおいて設定される画像記録用の解像度に合わせた圧縮率の他、予めユーザが操作部４６を操作することにより設定した解像度に合わせた圧縮率が挙げられる。
【００２０】
ストロボ装置４１は、例えば測光センサ４３における被写体の輝度が所定値以下となる場合に、被写体に向けてストロボ光を発光する。このストロボ装置４１におけるストロボ光の発光タイミングや発光量はストロボ制御部４２によって制御される。
【００２１】
ＣＰＵ４５は、デジタルカメラ１０の各部を統括制御しており、ＣＰＵ４５は操作部４６やレリーズボタン４７の操作に基づいてデジタルカメラ１０の各部を制御する。このＣＰＵ４５は、顔検出部５０、範囲特定部５１、範囲判定部５２、領域抽出部５３、輝度算出部５４及びパラメータ決定部５５を備えている。
【００２２】
顔検出部５０は、スルー画像として使用されるデジタル画像データを用いて、被写体の顔領域を検出する。この顔領域を検知する方法としては、デジタル画像データから、目、口等のエッジを特徴量として求めることにより人物の顔の位置を検知した後、目、口を包含する顔の輪郭を求め、輪郭内の領域の輝度を算出することで、顔領域を検出する方法が挙げられる。この被写体の顔領域の検出の際に、顔領域の位置（重心位置における座標）や、光軸Ｃに対する顔領域の重心位置の角度などの位置情報が取得される。
【００２３】
範囲特定部５１は、スロボ光が照射される範囲のうち、ストロボ光によるあおりの影響を受けない撮像範囲（以下、適正撮像範囲）を特定する。この範囲特定部５１は、撮像時の画角を算出した後、算出された画角に対して適正撮像範囲を特定する。撮影時の画角は、ズームレンズ２１の位置情報を取得することで撮像光学系１５の焦点距離を算出した後、算出された撮像光学系１５の焦点距離とＣＣＤ１６の受光面の大きさとから求められる。この画角に対して適正撮像範囲を特定する方法としては、ストロボ光によってあおりの影響を受けにくい範囲を画角毎に予め求めたテーブルデータを内蔵メモリ等に記録させておき、算出された画角とテーブルデータとを用いて、あおりの影響を受けない撮像範囲を適正撮像範囲として求める。
【００２４】
図２は、ＣＣＤ１６の受光面から被写体までのＸ方向の距離がｄとなり、ＸＹ平面で示す画角θが実線で示される範囲となる場合について説明する。この場合、ストロボ光は、Ｘ方向に対して画角θに合わせて照射されることを前提にしている。例えば被写体が実線で示される位置にある場合、被写体の顔に対してストロボ光は下方から照射されことになり、あおりの影響を受けやすい。一方、被写体が二点差線で示される位置にある場合には、被写体の顔に対してストロボ光が下方から照射されにくいので、あおりの影響を受けなくなる。つまり、ＸＹ平面上における図中角度θ１で示される範囲が適正撮像範囲となる。この適正撮像範囲（角度θ１で示される範囲）は、予め実験や、ユーザの経験などをまとめることで得ることが可能である。
【００２５】
撮像範囲や照射範囲に関してＺ方向については省略しているが、実際には、撮像範囲や照射範囲についてはＺ方向についても考える必要がある。この場合、適正撮像範囲を示す角度を、予めＸＹ平面、ＹＺ平面のそれぞれについて求めておけばよい。また、上述した被写体までの距離ｄは、測距センサ５６によって測定することが可能であり、この測距センサ５６によって測定された距離が近距離である場合には、画角θの範囲を適正撮像範囲としてもよい。
【００２６】
範囲判定部５２は、範囲特定部５１によって求められた適正撮像範囲と、顔検出部５０によって求められた顔領域の位置情報とから、撮像時の被写体の顔領域が適正撮像範囲にあるか否かを判定する。図２において、被写体の顔の重心が光軸Ｃを含むＸＹ平面よりも下方にある場合には、図中時計回り方向を正とすると、光軸Ｃに対する顔の重心位置の角度θ３傾いた方向にある場合には角度θ３は負の値となることから、取得される画像データにおける被写体の顔領域は適正撮像範囲にあると判定される。一方、被写体の顔の重心位置が、光軸Ｃを含むＸＹ平面に対して角度θ２傾いた方向にある場合には、角度θ２が光軸Ｃを含むＸＹ平面に対して適正撮像範囲の上限となる角度（θ１−θ／２）よりも大きくなるので、取得される画像データにおける被写体の顔領域は適正撮像範囲から外れていると判定される。
【００２７】
領域抽出部５３は、範囲判定部５２により取得される画像データにおける被写体の顔領域が適正撮像範囲から外れていると判定された場合に、検出された被写体の顔領域から複数の対象領域を抽出する。なお、以下では、２つの対象領域を抽出するものとして説明する。上述したように、顔検出部５０では顔における目や口などの特徴量を検出することで顔領域を検出している。図３に示すように、検出された顔領域６０のうち、例えば頬に該当する領域（図中符号で示す領域６１）と、額に当たる領域（図中符号で示す領域６２）とを対象領域として抽出する。なお、対象領域としては、上述した領域の他に、顔領域を上下の２つの領域に分割し、分割された２つの領域を対象領域としてもよい。
【００２８】
輝度算出部５４は、領域抽出部５３によって抽出した複数の対象領域の輝度を算出する。例えば、図３に示すように、領域６１と領域６２とが対象領域として抽出されると、これら領域６１，６２に対する平均輝度Ｌ１，Ｌ２をそれぞれ算出する。
【００２９】
パラメータ決定部５５は、輝度算出部５４によって求められた対象領域における平均輝度を用いて、本発光を行って撮像を行うときのストロボ光の発光量の補正値、及び画像処理を実行する際の補正値を決定する。画像処理を実行する際の補正値として、例えばゲインコントロール処理時のゲインの補正値を挙げて説明する。なお、２つの対象領域における平均輝度の差だけでなく、平均輝度の比に応じてストロボ光の発光量の補正値や、画像処理時の補正値を決定してもよい。
【００３０】
次に、本実施形態の作用について図４のフローチャートを用いて説明する。以下では、夜間に人物を撮像する場合について説明する。なお、夜間に人物を撮像する場合の他に、例えば日中時の撮影で逆光となる場合であっても同様の処理を行うことが可能である。
【００３１】
ステップＳ１は、予備発光としてのストロボ光を発光させる処理である。このステップＳ１においては、予備発光としてストロボ装置４１からストロボ光が発光され、被写体に向けて照射される。
【００３２】
ステップＳ２は、画像を取得する処理である。なお、このステップＳ２においては、撮像光学系１５を介して入射される被写体光をＣＣＤ１６にて光電変換し、光電変換されることで得られるアナログ画像データをＡ／Ｄ変換器２６においてデジタル画像データに変換する。変換されたデジタル画像データはフレームメモリ２８に記録される。
【００３３】
ステップＳ３は、ＬＣＤモニタ３６に画像を表示する処理である。ステップＳ２処理が行われると、フレームメモリにデジタル画像データが記録されるので、このデジタル画像データを読み出して画像処理を施した後、ＬＣＤモニタ３６の解像度に合わせた圧縮率で圧縮処理を施す。この圧縮処理が施されたデジタル画像データは表示制御部３７に出力される。これにより、ＬＣＤモニタ３６に画像が表示される。
【００３４】
ステップＳ４は、圧縮処理が施されたデジタル画像データを用いて顔領域の検出を行う処理である。ステップＳ４においては、上述したように、デジタル画像データから、目、口等のエッジを特徴量として求めることにより人物の顔の位置を検知した後、目、口を包含する顔の輪郭を求め、輪郭内の領域の輝度を算出することで、顔領域を検出する。
【００３５】
ステップＳ５は、ステップＳ４の処理を実行したときに、顔領域の検出が行われたか否かを判定する処理である。このステップＳ５において、顔領域が検出された時にはステップＳ６に進み、顔領域が検出されない場合にはステップＳ７に進む。
【００３６】
ステップＳ６は、検出された顔領域の位置情報を取得する処理である。なお、この位置情報としては、例えば顔領域の重心位置の座標や、光軸Ｃに対する重心位置の角度などが挙げられる。なお、この顔領域の位置情報は、内蔵メモリ３８に記憶される。
【００３７】
ステップＳ７は、レリーズボタン４７が操作されたか否かを判定するステップである。このステップＳ７でレリーズボタン４７が操作されたと判定された場合にはステップＳ８に進み、操作されていないと判定された場合には、ステップＳ２に戻る。これにより、ステップＳ７において、レリーズボタン４７が操作されていないと判定される場合には、ＬＣＤモニタ３６には、撮像光学系１５を介して取り込まれた画像が順次表示される。また、レリーズボタン４７が操作されない場合には、ステップＳ４〜ステップＳ６の処理、つまり顔領域の検出及び検出された顔領域の位置情報の取得が繰り返し実行され、顔領域が検出された場合には、検出された顔領域の位置情報が順次更新されていく。
【００３８】
ステップＳ８は、画角を算出する処理である。撮像時の撮像倍率は、ユーザが操作部４６を操作することによって設定されていることから、ＣＰＵ４５は、ズームレンズ２１の位置情報を取得することで、撮像光学系１５の焦点距離を算出する。この算出された焦点距離とＣＣＤ１６の受光面の大きさとから画角が算出される。
【００３９】
ステップＳ９は、ステップＳ８において算出された画角から、ストロボ光を照射して撮像を行う際の適正撮像範囲を決定する処理である。上述したように、ストロボ光によってあおりの影響を受けにくい範囲を画角毎に求めたテーブルデータを内蔵メモリ３８に予め記録させておき、算出された画角とテーブルデータとから、あおりの影響を受けない撮像範囲を適正撮像範囲として求める。
【００４０】
ステップＳ１０は、顔領域が適正撮像範囲にあるか否かを判定する処理である。ステップＳ６において顔領域の位置情報、つまり光軸Ｃに対する顔領域の重心位置の角度（図２に示すθ２）が取得されている。また、ステップＳ９において適正撮像範囲（図２に示す角度θ１に示す範囲）が決定されている。これらを用いて、顔領域が適正撮像範囲にあるか否かを判定する。
【００４１】
ステップＳ１１は、ステップ１０における判定結果において、顔領域が適正撮像範囲にあるとされた場合にステップＳ１２に進み、顔領域が適正撮像範囲にないとされた場合にステップＳ２０に進む。なお、ステップＳ１２は、発光量を補正せずにストロボ光を用いた撮像を行う処理である。なお、このステップＳ１２におけるストロボ光の発光が本発光となる。このステップＳ１２の処理が終了すると、画像処理部３５において画像処理が施された後、内蔵メモリ３８に記録される。この場合は、ストロボ光の発光量が補正されないことから、取得される画像の劣化を防止することができる。
【００４２】
一方、ステップＳ１１において、顔領域が適正撮像範囲にないとされた場合には、ステップＳ２０に進む。
【００４３】
ステップＳ２０は、ステップＳ４において検出された顔領域から異なる２つの対象領域を特定する。この２つの対象領域としては、図３に示すように、頬の領域６１、額の領域６２が挙げられる。
【００４４】
ステップＳ２１は、ステップＳ２０にて特定された２つの対象領域のそれぞれにおける平均輝度を求め、これら平均輝度の差に基づいてストロボ光の補正値、及び画像処理時の補正値を決定する。なお、頬の領域６１の平均輝度をＬ１とし、額の領域６２の平均輝度をＬ２とした場合、輝度差ΔＬは、｜Ｌ２−Ｌ１｜となる。この輝度差ΔＬの値に応じて、上述した補正値が決定される。
【００４５】
例えば、輝度差ΔＬが、ΔＬ＜Ａ（Ａ：基準値）となる場合には、ストロボ光を照射したときのあおりの影響が少ないことから、ストロボ光の発光量の補正値を０．８に設定する。つまり、補正しない場合のストロボ光の発光量をＧとすると、この場合の発光量は、０．８Ｇとなる。また、ゲインコントロール処理におけるゲイン値を１．２に設定する。
【００４６】
また、輝度差ΔＬが、Ａ≦ΔＬ＜Ｂ（Ａ＜Ｂ）となる場合には、ストロボ光を照射したときのあおりの影響を受けることから、ストロボ光の発光量の補正値を０．６に設定する。つまり、補正しない場合のストロボ光の発光量をＧとすると、この場合の発光量は、０．６Ｇとなる。また、ゲインコントロール処理におけるゲイン値を１．４に設定する。
【００４７】
さらに、輝度差ΔＬが、Ｂ≦ΔＬとなる場合には、ストロボ光を照射したときのあおりの影響が大きいことから、ストロボ光の発光量の補正値を０．４に設定する。つまり、補正しない場合のストロボ光の発光量をＧとすると、この場合の発光量は、０．４Ｇとなる。また、ゲインコントロール処理におけるゲイン値を１．６に設定する。なお、これら補正量は一例であり、これに限定されるものではなく、適宜設定されるものである。
【００４８】
ステップＳ２２は、補正された発光量を用いて被写体を撮像する処理である。なお、このステップＳ２２におけるストロボ光の発光が本発光となる。なお、ステップＳ２１において補正後の発光量が決定されることから、この補正後の発光量となるように、ストロボ制御部４３は、ストロボ装置４１におけるストロボ光の発光量を制御する。このストロボ光の発光に応じて、被写体が撮像される。これにより、あおりの影響が低減された状態で撮像を行うことができる。
【００４９】
ステップＳ２３は、ステップＳ２２において取得されたデジタル画像データに対して画像処理が実行される。この画像処理におけるゲインコントロール処理については、ステップＳ２１によって決定されたゲイン値が用いられる。このステップS２３の処理が終了すると、ステップＳ１３に進み、画像処理が行われたデジタル画像データが内蔵メモリ３８に記憶される。これにより、ストロボ光の発光量を抑えることであおりの影響は低減できる反面、被写体光量が不足するが、ゲインコントロール処理においてゲイン値を高く設定することで、得られた画像における輝度を高くすることができる。つまり、対象領域における輝度値、つまり顔領域における明暗のバランスに応じた補正量で画像処理を実行することができる。なお、この場合、ストロボ光の発光量を補正することで画像の画質は低下するが、画像処理によって画像の明暗を好ましい状態に補正することができるので、適切な照明状態で撮像が行われた画像に近い画像を取得することができる。
【００５０】
本実施形態では、画像データから検出された顔領域が適正撮像範囲から外れる場合に、ストロボ光の発光量の補正値や、画像処理時の補正値をそれぞれ設定しているが、これに限定する必要はなく、ストロボ光の発光量の補正値、又は画像処理時の補正値の何れか一方を設定することも可能である。
【００５１】
本実施形態では、デジタル画像データ全体に対して設定されたゲイン値を用いたゲインコントロール処理を実行しているが、これに限定される必要はなく、顔領域に対するゲイン値の補正値と他の領域に対するゲイン値の補正値をそれぞれ求め、それぞれの補正値に基づいて、各領域に対するゲインコントロール処理を行うことも可能である。また、この他に、例えば顔領域に対応する画素に対する階調補正時の補正値と、他の領域に対応する画素に対する階調補正時の補正値とを求め、求めた補正値を求めて、それぞれの画素に対する階調補正を行うことも可能である。なお、画像処理時にゲインコントロール処理を行っているが、これに限定される必要はなく、例えばＡ／Ｄ変換器に入力される前のアナログ画像信号に対して行われる信号増幅の増幅値を変更することも可能である。
【００５２】
本実施形態では、被写体となる人物が一人の場合の撮像について述べているが、被写体となる人物が複数からなる場合であってもよい。この場合、画像データから全ての人物に対する顔領域を検出し、検出された顔領域のそれぞれについて適正撮像範囲にあるか否かの判定を行い、適正撮像範囲から外れる顔領域がある場合に、ストロボ光の発光量の補正値、ゲインコントロール処理時のゲイン値を決定する。また、被写体が複数の人物からなる場合において適正撮像範囲から外れる顔領域がある場合には、適正撮像範囲から外れる顔領域に対しては、適正撮像範囲における階調補正とは異なる階調補正を行うことも可能である。
【００５３】
本実施形態では、検出された顔領域が適正撮像範囲から外れる場合に、補正された発光量にてストロボ光を発光させて撮像を行った後、撮像により得られた画像データに対して補正値に基づいた補正量を用いて画像処理を実行しているが、画像処理を行う前に、取得された画像をＬＣＤモニタに表示することで、取得された画像をそのまま記録するか、パラメータ決定部で決定された画像処理時のパラメータを用いて画像処理を行った後、記憶させるかをユーザに確認させることも可能である。
【００５４】
本実施形態では、１回の撮像時における処理を説明しているが、例えば複数回の撮像を連続して行う連写モードにおいて本実施形態を用いることができる。つまり、この場合には、検出された顔領域が適正撮像範囲から外れる場合には、複数の異なる発光量のストロボ光を順次発光させながら撮像を行い、撮像時に得られた画像データのそれぞれに対して異なる補正値を用いて画像処理を行った後、それら画像データをＬＣＤモニタにサブネイル画像として表示させることも可能である。この場合、サブネイル画像から意図する画像をユーザに選択させ、選択された画像データを記録すればよい。
【００５５】
本実施形態では、スルー画像を表示する際に被写体の顔領域を検出しているが、これに限定する必要はなく、例えば、レリーズボタンの半押し操作時に被写体の顔領域を検出し、レリーズボタンの全押し操作時に被写体の撮像を行うデジタルカメラに用いることも可能である。
【００５６】
本実施形態では、顔領域が適正撮像範囲から外れていることを示す表示を行っていないが、顔領域が適正領域から外れている場合には、ＬＣＤモニタに顔領域が適正領域から外れていることを示すメッセージ等の警告を表示する、又はバウンス発光を促すメッセージを表示させることも可能である。なお、デジタルカメラにバウンス撮影用の発光装置が電気的に接続されている場合には、ストロボ光の発光量を補正する、或いは画像処理時の補正量を補正すること加えて、バウンス撮影用の発光装置を自動的に発光させることも可能である。
【００５７】
本実施形態では、ストロボ装置においては、その詳細は記載していないが、撮像倍率に合わせてストロボ光の照射角度が変化するズームストロボ装置を用いることも可能である。
【００５８】
本実施形態では、夜間における人物の撮像について述べているが、例えばデジタルカメラにおいては、オート撮影機能が付加されていることから、例えば測光センサによって被写体の輝度を算出して、この被写体の輝度が所定値以下となる場合に、図４に示すフローチャートの手順で、撮像を行わせることも可能である。
【００５９】
本実施形態では、ＣＰＵ４５に領域抽出部と輝度算出部とをそれぞれ設けた形態としているが、これに限定される必要はなく、例えば領域抽出部における機能と、輝度算出部における機能とを備えた情報取得部をＣＰＵに設けることも可能である。
【００６０】
本実施形態では、撮像レンズから取り込まれた被写体光をＣＣＤによって光電変換することによって画像データを取得するデジタルカメラについて説明しているが、これに限定されるものではなく、撮像レンズから取り込まれた被写体光を写真フイルムに露光させるカメラに用いることも可能である。この場合、画像処理における補正量を写真フイルムに記憶させておき、現像時の画像処理において、記憶された補正量を使用すればよい。
【図面の簡単な説明】
【００６１】
【図１】デジタルカメラの構成を示す概略図である。
【図２】被写体の位置と画角との関係を示す図である。
【図３】検出された顔領域における対象領域を示す図である。
【図４】撮像時の流れを示すフローチャートである。
【符号の説明】
【００６２】
１０…デジタルカメラ、１６…ＣＣＤ、３５…画像処理部、４１…ストロボ装置、４５…ＣＰＵ、５０…顔検出部、５１…範囲特定部、５２…範囲判定部、５３…領域抽出部、５４…輝度算出部、５５…パラメータ決定部
【図１】
2009124309.tif 000003
【図２】
2009124309.tif 000004
【図３】
2009124309.tif 000005
【図４】
2009124309.tif 000006